【事件の表示】
　特願２００２−　７０７４０「印刷装置および印刷システム」拒絶査定不服審判事件〔平成１５年　９月２６日出願公開、特開２００３−２７１３２３〕について、次のとおり審決する。
【結　論】
　本件審判の請求は、成り立たない。
【理　由】
Ｉ．手続きの経緯
　本願は、平成１４年３月１４日の出願であって、平成１７年３月３日付けの拒絶の理由の通知に対して、同年４月２７日付けで意見書及び手続補正書が提出されたが、同年１０月２１日付けで拒絶の査定を受けたものであり、この査定を不服として、同年１１月２４日付けで拒絶査定不服審判の請求がなされるとともに、同日付けで手続補正がなされ、平成１９年７月４日付けで審尋がなされ、同年８月１６日付けで回答書が提出されたものである。
　
ＩＩ．平成１７年１１月２４日付けの手続補正について
［結論］平成１７年１１月２４日付けの手続補正（以下、「本件補正」という。）を却下する。
　その理由は以下のとおり。
　
［理由］
（１）補正後の本願発明
　本件補正により、特許請求の範囲の請求項１は、
「【請求項１】
　
所定のキー押下によりメニュー表示を表示させ、当該
　前記メニュー表示のメニュー項目として追加可能な複数の階層から成る追加メニュー項目の情報と、その追加メニュー項目の下位に分類される要素画像の情報と、を有する追加メニューデータを、所定の通信相手から受信する受信手段と、
　前記追加メニューデータを記憶する追加メニュー記憶手段と、
　前記追加メニューデータに基づいて前記追加メニュー項目およびその下位の要素画像を前記メニュー表示に組み込むメニュー組込手段と、を備え、
　前記追加メニュー項目の組込後には、前記追加メニュー項目の階層数に応じた階層のメニュー表示を行う
メニュー表示手段と、を備え、
　
前記追加メニューデータは、ジャンル毎に追加可能であると共に、前記追加メニュー項目として、別キーの押下に基づいて異なる前記メニュー表示で表示される複数の項目を含む
　と補正された。
（以下、「本願補正発明」という。なお、アンダーラインは、補正箇所を示すために付したものである。）
　
（２）本件補正は、「追加メニューデータ」について、「ジャンル毎に追加可能である」とする限定を付加する補正を含むものであるが、この「追加メニューデータ」が「ジャンル毎に追加可能である」ことは、審判請求人が、審判請求書に対する平成１７年１１月２４日付け手続補正書の「【本願発明が特許されるべき理由】（２）補正の根拠の明示」において明示した本願の願書に最初に添付された明細書の段落番号【００４７】、【００８２】、図１９等や、前記明細書、特許請求の範囲又は図面には記載されておらず、また前記明細書等の記載から自明な事項であるともいえない。
　よって、本件補正は、特許法第１７条の２第３項に規定する要件を満たしていないので、特許法第５３条の規定により却下すべきものである。
　
（３）本件補正は、「追加メニューデータ」について、「ジャンル毎に追加可能」とする限定を付加する補正を含むものであるが、この「追加メニューデータ」が「ジャンル毎に追加可能」とは、前記手続補正書の「【本願発明が特許されるべき理由】（２）補正の根拠の明示」において明示した本願の願書に最初に添付された明細書の段落番号【００８２】、図１９、及び前置審尋に対する平成１９年８月１６日付け回答書における「（４）本願発明が特許査定されるべき理由、 ａ．　本願発明の印刷装置は、使用者の職業等に応じて業種毎（例えば、お店、学校、建設、病院など）に追加メニューデータを追加することができるようになっている（図１９等参照）。」という主張を参酌し、「例えば、お店、学校、建設、病院など毎に追加可能」と解釈すると、本件補正は特許法第１７条の２第４項の特許請求の範囲の減縮を目的とするものと認められるので、本願補正発明が特許出願の際独立して特許を受けることができるものであるか（特許法第１７条の２第５項において準用する同法第１２６条第５項の規定に適合するか）について以下に検討する。
　
（３−１）独立特許要件についての検討
（Ａ）刊行物の記載
　原査定の拒絶の理由に引用された特開２０００−２９３１０４号公報（平成１２年１０月２０日出願公開。以下、「刊行物１」という。）には、図面と共に以下の事項が記載されている。
　
【００１５】客の選択情報等はログファイル３４に記録され、回収されてマーケティングリサーチ情報として利用される。また、例えばインターネット２２を介して最新のシール画像ファイルやアウトラインデータファイル、組み合わせ情報ファイルを受信し、絵柄や機種を更新する。
【００１６】図８、９は、組み合わせ情報ファイル３３の内容例を示す説明図である。図８は、基本的な組み合わせ情報ファイル例を示す説明図であり、このファイルは例えばテキストファイル形式のファイルである。例えばベンダーリストからＤ社を選択するとカテゴリーＡであるので、［ベンダー＃Ａ］の下に記載されている３つの機種名（AP-D102など）を表示し、選択された機種名に対応するカッティング情報ファイル名（a001.rdgなど）を得る。絵柄（背景）情報はグループに分かれており、例えば「ペア」を選択するとカテゴリーＰＡＩなので［バックグランド＃ＰＡＩ］の下に記載されている３つの絵柄名（ハートなど）を表示し、選択された絵柄名に対応する絵柄情報ファイル名（pai001.jpgなど）を得る。
【００１７】図９は、ポイント画像、複数カットライン情報に関する組み合わせ情報ファイル例を示す説明図である。このファイルもやはりテキストファイル形式のファイルである。ポイント画像については、上記した絵柄情報と同じ形式で記載され、選択される。
　
【００１９】図１０〜図１３は、本発明のシール作成プログラムの第１実施例の処理内容を示すフローチャートである。第１実施例においては、絵柄データとして背景画像およびポイント画像を使用し、カッティングラインデータは機種毎に複数種類登録されており、かつ表と裏を同時に作成する場合、即ち図７（ｄ）に示すデータを使用する例について説明する。Ｓ１においては、本発明のソフトウェアの立ち上げが実行され、Ｓ２においては、携帯電話のキャリア（ベンダー）の選択処理が行なわれる。Ｓ３においては、Ｓ２で選択されたキャリアの機種の一覧がデータベース（組み合わせ情報ファイル）から読み出され、Ｓ４においては、個別の機種が選択される。
　
【００２２】Ｓ１４においては、表側ポイント画像のグループをグループの一覧表の中から選択する。Ｓ１５においては、表側背景画像グループと重ね合せることが出来る表側ポイント画像の一覧がデータベースから呼び出される。Ｓ１６においては、表側ポイント画像が選択される。Ｓ１７においては、表側ポイント画像が背景情報の上側に重ねて表示されると共にカットラインが上書きされたものが表示画面に表示される。
　
【００２９】Ｓ３９においては、シール印刷処理が実行される。即ち、表裏それぞれについて、背景画像の上にポイント画像を上書きした画像を無地のシール用紙に印刷し、カッティングパターンに従って切り込み線を入れる。完成したシールは、粘着層が付着したフィルムを切り込み線にそって剥離紙から剥がし、携帯電話機筐体の表面、裏面、あるいは側面に手作業で貼り付ける。
　
【００３０】図６は、ディスプレイに表示される画面例を示す説明図である。この実施例においては、２つのシール作成処理、あるいは１つの機種に対する表と裏のシール作成処理を同時に実行可能に構成されており、表示画面も２つのシール作成画面が左右対称に配置されている。なお、上部の顧客情報入力領域９８は、店舗の店員が客のおおよその年齢や性別を入力するための領域であり、入力された情報は、機種や絵柄の選択情報と共にログファイル３４に記録され、所定の周期で収集される。
【００３１】図６の機種（カッティングライン）選択領域９１においては、まず上段のベンダー名（メーカー名）の右側の三角印をクリックすることにより、ベンダー名リストを表示させる。使用者はこのリスト中から携帯電話機のベンダー名をクリックする。次に、下段の機種名の右側の三角印をクリックすることにより、選択したベンダーの機種名リストを表示させる。使用者はこのリスト中から対応する機種名をクリックする。選択された機種名と対応するアウトラインデータファイルは図６の絵柄表示領域９０に表示される。
【００３２】図６のキャラクタ（ポイント画像）選択領域９２においては、まず上段のキャラクタージャンル名（シリーズ名）の右側の三角印をクリックすることにより、ジャンル名リストを表示させる。ジャンル名としては、例えば「キャラクター」「花」「国旗」などを設けてもよい。使用者はこのリスト中から所望のジャンルをクリックする。次に、下段の画像名（シリーズ番号）の右側の三角印をクリックすることにより、選択したジャンルのキャラクター画像名リストを表示させる。ジャンル名として「花」が選択されている場合には、キャラクター画像名としては例えば「ひまわり」「梅」「水仙」などが表示される。使用者はこのリスト中から所望のポイント画像名をクリックする。選択されたキャラクター画像ファイルは図６の絵柄表示領域９０に表示される。なお、図６の背景選択領域９３においては、上記したキャラクタ選択操作と同様に、背景が選択される。
　
【００５１】
　・・・また、背景とポイント画像との任意の組み合わせが可能となり、シールのオリジナリティが増すという効果もある。更に、機種やキャラクター画像、背景画像の追加・変更に容易に対応できるという効果もある。
　
　図６には、ディスプレイに表示される画面例として、ポイント画像選択領域９２が示されている。
　
　図７には、データの例として、ポイント画像として「キャラクター」が選択され、「ポイント画像ファイル名」がA0002.ppcされた場合が示されている。
　
　図９には、ポイント画像に関する組み合わせ情報ファイルとして、ポイント画像【point】のグループとして、「キャラクター」、「国旗」、「スター」、「ロゴ」、「ブランドイメージ」が示され、「キャラクター」の下位階層【point#A】のグループとして、「キャラクターＨ１」、「キャラクターＨ２」、「キャラクターＨ３」などが、A0001.ppc、A0002.ppc、A0003.ppcなどと関連付けられて示されている。
　
　以上の記載によれば、刊行物１には、次の発明（以下、「刊行物１記載発明」という。）が記載されている。
　
「ポイント画像の一覧がデータベース（組み合わせ情報ファイル）から呼び出され、ポイント画像が選択されると、背景情報の上側に重ねて表示され、
　組み合わせ情報ファイル３３内では、絵柄（背景）情報はグループに分かれており、例えば「ペア」を選択するとカテゴリーＰＡＩなので【バックグラウンド＃ＰＡＩ】の下に記載されている３つの絵柄名（ハートなど）を表示し、選択された絵柄名に対応する絵柄情報ファイルを得ることが出来ると共に、ポイント画像に関する組み合わせ情報ファイルについても、上記した絵柄情報と同じ形式で記載され、選択されるもので、ポイント画像【point】のグループとして、「キャラクター」、「国旗」、「スター」、「ロゴ」、「ブランドイメージ」を有し、「キャラクター」の下位階層【point#A】のグループとして、「キャラクターＨ１」、「キャラクターＨ２」、「キャラクターＨ３」などが対応するポイント画像ファイル名「A0001.ppc」、「A0002.ppc」、「A0003.ppc」などと共に関連付けられて、
　キャラクタ（ポイント）選択領域９２において、ジャンル名の右側の三角印をクリックすることにより表示させたジャンル名リスト（「キャラクター」、「花」、「国旗」）から所望のジャンルをクリックし、次に、下段の画像名の右側の三角印をクリックすることにより、選択したジャンルのキャラクター画像名リストを表示させ、このときジャンル名として「花」が選択されている場合には、キャラクター画像名として例えば「ひまわり」、「梅」、「水仙」などが表示され、表示されたキャラクター画像名リストから所望のポイント画像名をクリックして選択すると、選択されたキャラクター画像ファイルが表示され、背景画像の上にポイント画像を上書きした画像を印刷し、
　インターネット２２を介して最新のシール画像ファイルやアウトラインデータファイル、組み合わせ情報ファイルを受信し、絵柄や機種を更新し、キャラクター画像の追加・変更に容易に対応できる印刷手段を有するシール作成装置。」
　
（Ｂ）周知技術１について
　特開平８−３３９２９７号公報（平成８年１２月２４日出願公開。以下、「刊行物２」という。）には、図面と共に以下の事項が記載されている。
　
【００１４】図２は操作パネルを説明する平面図である。プリンタ装置１に関して所定の設定を行う場合、作業者はこの操作パネル２を使用する。つまり、操作パネル２の表示部２１に表示される内容を参照して、ＭＥＮＵボタン２２や矢印キー２３、ＳＥＴキー２４を押下することで所定の設定を行う。
【００１５】本実施例におけるプリンタ装置１では、ＣＰＵ６で実行されるメインプログラムによって各種の設定がメニュー形式で表示部２１に表示される。作業者は、そのメニュー形式で表示される設定項目を矢印キー２３で選択し、ＳＥＴキー２４の押下で設定内容の決定を行う。図３は、各種の設定におけるメニュー階層の概念図である。図３中の（）内の番号は、木構造の節を識別する節番号である。ここで節番号（０）は最上位の節すなわちルートを示している。
【００１６】例えば、「システム設定」の項目は、前節番号が（０）、次節番号が（１）であるとして所定のメニューデータ内に格納されている。図１に示すプリンタ装置１は、このようなメニューデータを予め備えており、ＣＰＵ６内のメインプログラムによってメニューデータに基づき各項目を階層的に表示できるようになっている。
　
【００１９】次に、このようなプリンタ装置１（図１参照）に予め用意されているメニュー形式の設定項目（以下、単に本体メニューデータと言う。）へ、別の設定項目（以下、単に追加メニューデータと言う。）を追加する場合の説明を行う。このメニューの追加が必要となるのは、例えば新たなネットワークＮにおける通信プロトコルを設定する必要がある場合などである。この場合には、先ず、図１に示すプリンタ装置１の接続部７に、この通信プロトコルの設定等の追加メニューデータに関するサブルーチンプログラムが格納されたＩＣカード１０を接続する。
【００２０】ＩＣカード１０の接続によって、図５に示すメモリマップには、プリンタ装置側のメインプログラムの後にＩＣカードに関する制御データおよびそのサブルーチンプログラムが追加される。なお、複数のＩＣカードが接続された場合には、各々順番に追加されることになる。
【００２１】図６は、ＩＣカードが接続された場合のメモリマップに追加される制御データの構造を説明する概念図である。すなわち、制御データ内のマジックコードには、ＩＣカードが接続されていることを示すコードが格納され、ＩＣカード識別子には、ＩＣカードの識別子が格納される。また、初期処理ルーチン・ポインタには、ＩＣカードが接続されている場合、プリンタ装置の初期処理時に実行されるＩＣカード内のプログラムの番地が格納されている。さらに、追加メニューデータ数には、追加メニューデータの配列の要素数が格納され、追加メニューデータには、本体メニューデータに追加する追加メニューデータの各要素が格納されている。　
　
【００２９】索引Ｂの値が追加メニューデータ数以上となるまでこの処理を繰り返すことにより、ＩＣカードに格納された追加メニューデータが本体メニューデータの後に追加されることになる。これによって、図４に示す破線部分の追加位置に追加メニューデータの設定項目が追加されることになる。なお、他のＩＣカードが接続されている場合には、先に追加した追加メニューデータの後に他のＩＣカード内の追加メニューデータが追加されることになる。
【００３０】また、図７のフローチャートには示されないが、ＩＣカード内の追加メニューデータを本体メニューデータに追加する際、次節番号が（−２）であった場合には（図８参照）、その値が本体メニューデータ中の前節番号の最大値に「１」を加えた数に置き換えられる。つまり、図４に示すメニューデータでは、前節番号の最大値が「２４」であるため、図８に示す「折り返しテスト」の項目に対応する次節番号（−２）および「実行／取消」の項目に対応する前節番号（−２）が、各々（２５）に書き換えられることになる。図９は、追加後のメニューデータの構造を説明する図であり、このように、「折り返しテスト」の項目に対応する次節番号および「実行／取消」の項目に対応する前節番号が（２５）となる。　
【００３１】この追加によって、図９に示す「ＴＣＰ／ＩＰ設定メニュー」の項目は、図３に示す「ネットワーク設定」の次の節で「プロトコルＡ」および「プロトコルＢ」と並ぶ階層に追加され、「折り返しテスト」の項目は、「メインテナンス」の次の節で「テスト・プリント」および「設定一覧」と並ぶ階層に設定される。また、「実行／取消」の項目は、「折り返しテスト」の次の節に追加されることになる。
　
【００５７】また、外部装置としはＩＣカード１０に限定されることはない。さらに、本発明であるユーザインタフェース装置は図１に示すプリンタ装置１に適用する場合のみならず、ファクシミリ装置や他の画像処理装置に適用しても同様である。
　
　また、特開平９−１６７０６１号公報（平成９年６月２４日出願公開。以下、「刊行物３」という。）には、図面と共に以下の事項が記載されている。
　
【００３２】第２の発明は、所定の通信媒体（インタフェースまたは拡張スロットによるバス接続）を介して所定の拡張処理を実行する拡張装置と通信しながら表示部３０６および指示部（キー部３０７）を備える印刷装置本体を制御する印刷制御装置において、前記指示部が指示可能な前記印刷装置本体に対する各種の印刷機能設定項目を所定の階層レベルに従って前記表示部にメニューを表示させるメニュー表示手段（ＣＰＵ３０３がＲＯＭ３０４に記憶されたメニュー処理プログラムを実行して表示する）と、前記拡張装置から転送される拡張メニューファイルを解析する解析手段（ＣＰＵ３０３がＲＯＭ３０４に記憶された解析処理プログラムを実行して表示する）と、前記解析手段により解析された前記拡張メニューファイル中の拡張機能設定項目を前記印刷機能設定項目に組み込んで前記表示部に表示するメニューを更新する更新手段（ＣＰＵ３０３がＲＯＭ３０４に記憶された更新プログラムを実行して更新する）とを設け、ＣＰＵ３０３が拡張ボード２０３から転送される拡張メニューファイルを解析して各種拡張機能設定項目に従う拡張データ処理ファイルを生成したら、該解析された前記拡張メニューファイル中の拡張機能設定項目を前記印刷機能設定項目に組み込んで前記表示部３０６に表示するメニューを更新し、該更新されたメニューをＣＰＵ３０３が表示部３０６に表示して、接続される拡張ボード２０３に対する拡張機能設定項目を印刷装置本体のメニューに結合して表示指示可能とする。
　
【００３９】図５は、図２に示した拡張ボードから転送されるメニュー記述ファイルのフォーマットを説明する図である。
【００４０】図において、行５０１は本メニューを呼び出す際に実行すべきシステムコールを定義するものであり、システムコールはあらかじめ印刷装置内に固定的あるいはプログラムをダウンロードするなどにより用意しておき、番号をつけることにより管理する。
【００４１】行５０２は本メニューの最上位レベルの定義開始であることを示し、ＬＥＶＥＬコマンド以下にはＴＩＴＬＥおよびＫＥＹを対とした項目が１つ以上記述される。行５０３は表示部３０６に表示する文字列を定義するものであり、本行にて表示された項目に対し、以下に続くキー定義記述により各種処理を実行可能とするものである。行５０４〜行５０９は各キーが押下された場合に実行する処理を定義するものである。各キーは行５０４から順に右キー、左キー、上キー，下キー、ＸキーおよびＹキーである。各キーを示すキーワードの後ろに処理を示すキーワードを記述する。
【００４２】なお、処理は「，」で区切って複数指定することが可能であり、図５に示すとおり、同レベル内での項目の移動、上下レベルへの移動、値の設定、ブザーを鳴らす、無視するなどメニューにかかわるキーワードが指定可能である。
　
【００５０】図７は、図６に示したメニュー記述ファイルに基づくメニュー表示処理状態を説明する模式図であり、以下、図８，図９に示すフローチャートを参照しながら印刷装置のデータ処理方法について説明する。
【００５１】図８は、本発明に係る印刷制御システムのデータ処理方法の一実施例を示すフローチャートである。なお、（１），（２）は各ステップを示し、該ステップは図示しない電源スイッチがオンされて、電源が投入された時点をリセット処理として、本処理が開始されるものとする。
【００５２】まず、電源投入時あるいはリセット時にインタフェース３０２を介して接続されている拡張ボード２０３内に格納されているメニュー記述ファイルを取得する（１）。次に、拡張ボード２０３から取得したメニュー記述ファイルを解釈し、最上位項目（ＬＥＶＥＬ１の項目）をメインメニューにリンクさせ（２）、操作パネル１０２のキー操作で選択可能とする。これにより、例えばＲＡＭ３０５上には、ＲＯＭ３０４に記憶されたプリンタ機能メニュー（メインメニュー）に対して、最上位項目（ＬＥＶＥＬ１の項目）がリンクされたメニューが保持されることとなる。
【００５３】以下、本実施例と第６の発明の各工程との対応及びその作用について図８等を参照して説明する。
【００５４】第６の発明は、印刷装置本体を制御する印刷制御装置（プリンタ制御ユニット１０３）と、前記印刷制御装置と通信可能に接続される拡張装置（拡張ボード２０３）とが所定の通信媒体（インタフェース，装着スロットを介したバス接続等）を介して通信可能な印刷制御システムのデータ処理方法において、前記印刷装置本体の表示部３０６のメニュー表示書式に従って記述される各種拡張機能設定項目に対する所定の拡張データ処理ファイルを拡張メニューファイルとして前記印刷制御装置に転送する転送工程（図８のステップ（１））と、前記拡張装置から転送される拡張メニューファイルを解析する解析工程（図８のステップ（２））と、該解析された前記拡張メニューファイル中の拡張機能設定項目を前記印刷機能設定項目に組み込んで前記表示部に表示するメニューを更新する更新工程（図８のステップ（２））とを実行して、接続される拡張ボード２０３に対して設定すべき拡張機能設定項目を拡張ボード２０３自身から取得して印刷装置本体上で自在に表示指示する処理を実行可能とする。
　
【００５８】また、上記実施例では、インタフェース３０２を介して接続された拡張ボード２０３からメニュー記述ファイルを取得し、その拡張ボード２０３に関する設定を行う例について説明したが、インタフェース３０１に接続されるホストコンピュータから直接または拡張ボード２０３を介して接続されるネットワーク上のホストコンピュータから新規機能を実現するプログラムと共にメニュー記述ファイルをダウンロードして取得し、該メニュー記述ファイルを解析して新規機能に関する設定を自在に行えるように構成してもよい。
　
　図５、図６には、拡張ボードから転送されるメニュー記述ファイル及びそのフォーマットとして、LEVEL１、LEVEL２の複数の階層（２階層）を有することが示されている。
　
　これらの刊行物２、３により、本願補正発明の技術用語を用いると、次のような技術（以下、「周知技術１」という。）が本願出願前に周知であったと認められる。
　
「所定のキー押下によりメニュー表示を表示させ、メニュー表示のメニュー項目として追加可能な複数の階層（２階層）からなる追加メニュー項目の情報を有する追加メニューデータを記憶し、
　前記追加メニューデータに基づいて、前記追加メニュー項目を、前記メニュー表示に組み込むメニュー組み込み手段と、
　前記追加メニュー項目の組み込み後には、前記追加メニュー項目の階層数（２階層）に応じた階層のメニュー表示を行うメニュー表示手段とを備えた印刷装置。」
　
（Ｃ）周知技術２について
　特開昭６３−１７３１２２号公報（昭和６３年７月１６日出願公開。以下、「刊行物４」という。）には、図面と共に以下の事項が記載されている。
　
「第２図は本実施例の印字装置の操作部の拡大図で、１４は入力データの処理方法を設定し、レーザープリンタや、ドツトプリンタ、ディジープリンタのそれぞれで形式が違う入力データのすべてに対応するために用いられるエミュレーションキー、１５はＲＳ２３２Ｃ（米国電子工業会推奨規格）インターフェースやセントロニクスインターフェース（セントロニクス社）等を選択し、ホストコンピュータ２とのインターフェースの種類に対応するために用いられるインターフェースキー、１６は印字する文字のフォントの種類を選択するために用いられるフォントキー、１７はホストコンピュータ２より送られてくる制御コードの変換方法を決定するために用いられるコントロールコードキー、１８は印字時の書式を設定するためのフォーマットキー、１９は制御手段１３及び設定値記憶手段１２を初期化するために用いられるリセットキー、２０は各設定での選択値を選択するために用いられるセレクトキー、２１はセレクトキー２０によって選択された選択値を決定するためのエンターキーである。」（第３頁右下欄第８行乃至第４頁左上欄第８行の記載。）
　
「今オペレーターがエミュレーションモードで、レーザープリンタを選択し、さらに文字ピッチとして１０ピツチを選択しようとしている場合について説明する。
　まず初期の状態においては表示手段１０には「ＯＦＦ　ＬＩＮＥ」と表示されている。ここでオペレーターがエミュレーションキー１４を操作すると、判別手段２４はステップ（イ）でエミュレーションキー１４、インターフェースキー１５、フォントキー１６、コントロールコードキー１７、フォーマットキー１８、リセットキー１９のうちのいずれかが操作されたことを判別する。次にステップ（ロ）で判別手段２４はエミュレーションキー１４が操作されたことを判別し、次にステップ（ハ）で選択手段２３はエリアＡ１を選択し、ステップ（ニ）で表示手段１０にエリアＡ１の先頭に記憶されている「ＬＡＳＥＲ　ＰＲＩＮＴＥＲ」を表示する。
　ここでオペレーターはセレクトキー２０を操作することにより「ＤＡＩＳＹ　ＰＲＩＮＴＥＲ」や「ＤＯＴ　ＰＲＩＮＴＥＲ」を選択することもできるが、今ユーザーは「ＬＡＳＥＲ　ＰＲＩＮＴＥＲ」を選択しようとしているため、エンターキー２１を操作する。
　判別手段２４はステップ（ホ）でエンターキー２１が操作されたことを判別する。次に判別手段はステップ（チ）でエンターキー２１の操作に従い「ＬＡＳＥＲ　ＰＲＩＮＴＥＲ」に対応して設定値記憶手段１２を設定する。
次に判別手段２４はエリアＡｌが最深の階層であるかどうかをエリアＡ１の選択値「ＬＡＳＥＲ　ＰＲＩＮＴＥＲ」に記憶されているアドレスにより判別する。今エリアＡ１は最深の階層ではないため、選択手段２３はステップ（ヌ）で選択値「ＬＡＳＥＲ　ＰＲＩＮＴＥＲ」に記憶されているアドレスであるところの、次の深さの階層にあるエリアＡ２１を選択する。
　表示手段１０はステップ（ニ）でエリアＡ２１の先頭に記憶されている「ＰＩＴＣＨ」を表示する。
　今オペレーターは「ＰＩＴＣＨ」を設定しようとしているため、エンターキー２１を操作する。
　判別手段２４はステップ（ホ）でエンターキー２１が操作されたことを判断し、ステップ（チ）で「ＰＩＴＣＨ」に対応して設定値記憶手段１２を設定する。次に判別手段２４はエリアＡ２１が最深の階層であるかどうかを判別する。今エリアＡ２１は最深の階層ではないため、選択手段２３はステップ（ヌ）で選択値「ＰＩＴＣＨ」に記憶されたアドレスであるところの、次の深さの階層にあるエリアＡ３１を選択する。
　表示手段１０はステップ（ニ）でエリアＡ３１の先頭に記憶されている「１０」を表示する。
　オペレーターは１０ピツチを選択しようとしていたため、エンターキ−２１を操作する。
　判別手段２４はステップ（ホ）でエンターキー２１が操作されたことを判断し、ステップ（チ）で「１０」に対応するデータを設定値記憶手段１２に格納する。次に判別手段２４はエリアＡ３１が選択値「１０」に記憶されたアドレスを確認することにより、最深の階層であるかどうかを判別する。今エリアＡ２１は最深の階層であり、記憶されたアドレスは「ＯＦＦ　ＬＩＮＥ」を表示するデータが記憶されたエリアであるため、制御手段１３は一連の設定動作を終了して、設定が開始される前の状態に戻る。
　なおエミュレーションモードを選択した場合と同様に、インターフェース、フォント、コントロールコード、リセット、フォーマットの設定を行う場合にも同様の動作が行われる。」（第５頁右下欄第４行乃至第６頁左下欄第１３行の記載。）
　
　また、特開昭２０００−３０１７９７号公報（平成１２年１０月３１日出願公開。以下、「刊行物５」という。）には、図面と共に以下の事項が記載されている。
　
【００１５】図１は開蓋状態のテープ印刷装置１の外観斜視図であり、同図に示すようにテープ印刷装置１は、上下２分割の装置ケース２により外郭が形成され、装置ケース２の前部上面には各種入力キーを備えたキーボード３が配置されるとともに、後部上面には開閉蓋４が配設されている。開閉蓋４の内側には表示画面５ａとカートリッジ６を装着するためのカートリッジ装着部７が窪入形成されており、カートリッジ６は、開閉蓋４を開放した状態でカートリッジ装着部７に着脱可能に装着される。また、開閉蓋４にはこれを閉止した状態で表示画面５ａを視認するための覗き窓４ａが形成されている。
【００１６】キーボード３には、文字キー群３ａ、各種動作モード等を指定するための機能キー群３ｂ等が配列されている。文字キー群３ａは、ＪＩＳ配列に基づいた、フルキー構成であり、操作するキー数の増加を抑えるためのシフトキーを備えるなど、一般のワードプロセッサ等と同様である。また、機能キー群３ｂには、他の機能キーによる処理の取り消し等のための取り消しキー３１、後述の熱収縮率を設定するための熱収縮率設定キー３２、文字方向や文字サイズ等を設定するスタイルキー３３、カーソル移動用のカーソルキー３４、印刷動作を開始させる印刷キー３５、および各種モードの選択やテキスト入力時の改行のための選択キー３６が含まれる。
　
【００３４】以上、テープの種別（熱収縮率）を、カートリッジケース１６に設けられた識別子２４を自動検出することにより判別する方法について説明したが、次にユーザによって設定する方法について、図７を参照して説明する。まず、所望するキャラクタを入力した状態で（Ｔ１）、機能キー群の一つである「熱収縮率設定キー」３２を押下すると、熱収縮率設定画面に移る（Ｔ２）。選択可能な熱収縮率は、図６に示すとおり、６種類が用意されており、その中から、テープの熱収縮率に合うものを選択する。例えば、縦５０％、横０％の熱収縮率を有するテープを使用している場合は、カーソルキー３４等を操作して（この場合は「↓」キーｏｒ「→」キーを２回押下）、「縦５０％、横０％」を反転表示させ（Ｔ３）、選択キー３６を押下することによって、選択する。ここで、文字方向は、デフォルトが「横書き」に設定されているため、「縦書きインジケータ」は消灯されたままで、主表示部には縦方向および横方向の熱収縮率が表示される（Ｔ４）。また、この時点で印刷キー３５を押下すると、縦横比率が２×１の変形フォントで印刷される。「縦書き」に変更したい場合は、前述と同様、スタイルキー３３を押下して「縦書き」か「横書き」の選択が可能な状態にし（Ｔ５）、選択キー３６を押下して「横書き」を反転表示する（Ｔ６）。続いて、カーソルキー３４（「↓」キーｏｒ「→」キー）を押下すると「横書き」の表示が「縦書き」に変わり（Ｔ７）、選択キー３６を押下すると「縦書き」に設定される。なお、熱収縮テープが装着されている場合は、いずれかの段落が「縦書き」に設定されると、その他の段落も同様に設定される。以上の操作により、印刷に使用するフォントが決定されると、その後の処理（図５のＳ４およびＳ５）は、前述の場合と同様である。
　
　図７には、熱収縮設定キーの押下により熱収縮設定メニューが表示されること、スタイルキーの押下により段落設定メニューが表示されることが示されている。
　
　これらの刊行物４、５により、本願補正発明の技術用語を用いると、次のような技術（以下、「周知技術２」という。）が本願出願前に周知であったと認められる。
「所定のキー押下によりメニュー表示を表示させ、別キーの押下に基づいて異なるメニュー表示で表示させる印刷装置。」
　
（Ｄ）対比
　本願補正発明と刊行物１記載発明とを対比すると、刊行物１記載発明の「ポイント画像」は、本願補正発明の「要素画像」に相当する。
　
　刊行物１記載発明の「印刷手段を有するシール作成装置」は、表示されたキャラクター画像名リストから所望のポイント画像名をクリックして選択すると、選択されたキャラクター画像ファイルが表示され、背景画像の上にポイント画像を上書きした画像を印刷するから、本願補正発明の「表示により選択した要素画像を配置して印刷画像を作成する印刷装置」に相当する。
　
　そして、刊行物１記載発明の「印刷手段を有するシール作成装置」は、インターネットを介して最新のシール画像ファイルやアウトラインデータファイル、組み合わせ情報ファイルを受信し、絵柄や機種を更新するから、「所定の通信相手から受信する受信手段」を有するものである。
　
　さらに、刊行物１記載発明において、ポイント画像に関する「組み合わせ情報ファイル」は、ポイント画像【point】のグループとして、「キャラクター」、「国旗」、「スター」、「ロゴ」、「ブランドイメージ」を有し、「キャラクター」の下位階層【point#A】のグループとして、「キャラクターＨ１」、「キャラクターＨ２」、「キャラクターＨ３」などが対応するポイント画像ファイル名「A0001.ppc」、「A0002.ppc」、「A0003.ppc」などと共に関連付けられ、キャラクタ（ポイント）選択領域９２において、ジャンル名の右側の三角印をクリックすることにより表示させたジャンル名リスト（「キャラクター」、「花」、「国旗」）から所望のジャンルをクリックし、次に、下段の画像名の右側の三角印をクリックすることにより、選択したジャンルのキャラクター画像名リストを表示させ、このときジャンル名として「花」が選択されている場合には、キャラクター画像名として例えば「ひまわり」、「梅」、「水仙」などが表示され、表示されたキャラクター画像名リストから所望のポイント画像名をクリックして選択すると、選択されたキャラクター画像ファイルが表示され、背景画像の上にポイント画像を上書きするから、本願補正発明の「複数の階層からなる項目情報と、その項目の下位に分類される要素画像の情報と、を有するデータ」に相当する。
　
　そして、刊行物１記載発明の「印刷手段を有するシール作成装置」は、組み合わせ情報ファイルを呼び出しているから、前記データを記憶する記憶手段を有していることは明らかである。
　
　したがって、両者の一致点及び相違点は次のとおりである。
　
［一致点］
「表示により選択した要素画像を配置して印刷画像を作成する印刷装置であって、
　複数の階層からなる項目の情報と、その項目の下位に分類される要素画像の情報とを有するデータを所定の通信相手から受信する受信手段と、
　前記データを記憶する記憶手段と、
　を備えた印刷装置。」
　
［相違点］　
　本願補正発明では、
「印刷装置」が、「所定のキー押下によりメニュー表示を表示させ」るものであり、「追加メニューデータに基づいて前記追加メニュー項目およびその下位の要素画像を前記メニュー表示に組み込むメニュー組込手段」を備え、「追加メニュー項目の組込後には、前記追加メニュー項目の階層数に応じた階層のメニュー表示を行うメニュー表示手段」を備え、
「データ」が、「メニュー表示のメニュー項目として追加可能な複数の階層から成る追加メニュー項目の情報と、その追加メニュー項目の下位に分類される要素画像の情報と、を有する追加メニューデータ」で、
　さらに、「ジャンル毎に追加可能であると共に、前記追加メニュー項目として、別キーの押下に基づいて異なる前記メニュー表示で表示される複数の項目を含む」ものであるのに対して、
　刊行物１記載発明では、そうでない点。
　
（Ｅ）判断
　上記相違点について検討する。
　
　刊行物１記載発明は、インターネットを介して最新のシール画像ファイルやアウトラインデータファイル、組み合わせ情報ファイルを受信し、絵柄や機種を更新し、キャラクター画像（ポイント画像）の追加・変更に対応できるものであり、上記「（Ｂ）周知技術１について」で述べたように、「所定のキー押下によりメニュー表示を表示させ、メニュー表示のメニュー項目として追加可能な複数の階層（２階層）からなる追加メニュー項目の情報を有する追加メニューデータを記憶し、前記追加メニューデータに基づいて、前記追加メニュー項目を、前記メニュー表示に組み込むメニュー組み込み手段と、追加メニュー項目の組込後には、前記追加メニュー項目の階層数（２階層）に応じた階層のメニュー表示を行うメニュー表示手段を備えた印刷装置。」は周知であるから、刊行物１記載発明において、要素画像を選択する表示として、周知技術１のメニュー表示を採用し、「印刷装置」に「所定のキー押下によりメニュー表示を表示させ」、「追加メニューデータに基づいて前記追加メニュー項目およびその下位の要素画像を前記メニュー表示に組み込むメニュー組込手段」と「追加メニュー項目の組込後には、前記追加メニュー項目の階層数に応じた階層のメニュー表示を行うメニュー表示手段」を備えさせ、「データ」を「メニュー表示のメニュー項目として追加可能な複数の階層から成る追加メニュー項目の情報と、その追加メニュー項目の下位に分類される要素画像の情報と、を有する追加メニューデータ」とすることは、当業者であれば適宜なし得た設計事項である。
　また、どのような要素画像を追加可能とするかは、単に、所望するコンテンツに応じて適宜決定される程度の当業者であれば適宜なし得た設計事項にすぎないから、本願補正発明同様に、要素画像を有する追加メニューデータを、「例えば、お店、学校、建設、病院など毎に追加可能」とすることは、当業者であれば適宜なし得た設計事項である。
　
　そして、上記「（Ｃ）周知技術２について」で述べたように、「所定キー押下によりメニューを表示させ、別キーの押下に基づいて異なるメニュー表示を表示させる印刷装置」は、周知であるから、刊行物１記載発明の「印刷装置」において「別キーの押下に基づいて異なる前記メニュー表示を表示させ」ることは、当業者であれば適宜なし得た設計事項である。
　さらに、このとき「追加メニュー項目として、別キーの押下に基づいて異なる前記メニューで表示される複数の項目を含む」ものとすることは、当業者であれば、複数箇所のデータ更新を一括して行いたい等の一般的な課題に応じて適宜なし得た設計事項である。
　
　なお、出願人は、平成１７年１１月２４日付け審判請求書の「【本願発明が特許されるべき理由】（３）特許されるべき理由 」において、以下のように主張している。
　
（ｉ）「ａ．　本願発明の印刷装置は、使用者の職業や印刷装置の使用環境に応じて、ジャンル毎（例えば、お店、建設など）に追加メニューデータを追加することができるようになっている（図１９等参照）。これに対し、上記の刊行物には、「ジャンル毎（刊行物の場合、ペア、イラスト、季節など，図８参照）に追加メニューデータを追加できること」については何ら記載されていない。そもそも刊行物が、携帯電話機用のシールを作成するための装置に関する発明であることを想定すると、ベンダー毎または機種名毎に情報を追加すると考えるのが一般的であり、ジャンル毎に情報を追加することは考え難い。 」
　
（ｉｉ）「ｂ．　また、本願発明の印刷装置は、別キーの押下に基づいて異なるメニュー表示で表示される複数の項目（記号、外枠、イラスト）を同時に追加できるようになっている。例えば、記号キー３４１の押下により、項目「記号」や「イラスト」のメニュー表示を、またスタイルキー３４２の押下により、項目「外枠」のメニュー表示を表示できるようになっている（段落番号「００４７」等参照）。これに対し、刊行物には、「別キーの押下に基づいて異なるメニュー表示を表示させること」、および「異なるメニュー表示で表示される複数の項目を同時に追加できること」のいずれについても何ら記載されていない。前者については、刊行物がシール作成装置の一部としてコンピュータを想定していることから、表示画面に制約が無いためと考えられる。したがって、押下されるキーの種類によって、メニュー表示を異ならせる必要性が無く、ひいては刊行物からそのような発想には至らない。 
 　また、後者については、本願発明のように異なるメニュー表示で表示される複数の項目が存在する場合、その項目毎に追加メニューデータ（情報）を追加すると考えるのが一般的である。若しくは、刊行物に記載の発明のように、全ての項目（ポイント画像と背景画像など）を一括して追加するという方法もあるが、本願発明のように小型の印刷装置を想定している場合、すなわちメモリ容量に制限がある場合は適用できない。」
　
（ｉ）について
　上記「（Ｅ）判断」で述べたように、刊行物１記載発明において、要素画像を選択する表示として、周知技術１のメニュー表示を採用し、要素画像を有する追加メニューデータを「例えば、お店、学校、建設、病院など毎に追加可能」とすることは、当業者であれば適宜なし得た設計事項であり、その作用効果も刊行物１記載発明、周知技術１、２からみて格別のものではない。
　
（ｉｉ）について
　上記「（Ｃ）周知技術２について」で述べたように、「別キーの押下に基づいて異なるメニュー表示を表示させること」は、周知であり、また上記「（Ｅ）判断」で述べたように刊行物１記載発明に周知技術１、２を適用して、「追加メニュー項目として、別キーの押下に基づいて異なる前記メニュー表示で表示される複数の項目を含む」ものとすることは、当業者であれば、複数箇所のデータ更新を一括して行いたい等の一般的な課題に応じて適宜なし得た設計事項であり、このとき「異なるメニュー表示で表示される複数の項目を同時に追加できること」は、当然奏される効果にすぎない。
　
ＩＩＩ．本願発明について
　
（１）本願発明
　平成１７年１１月２４日付けの手続補正は上記「ＩＩ．平成１７年１１月２４日付けの手続き補正について［理由］（２）、（３）」のとおり却下されたので、本件出願の請求項１に係る発明は、平成１７年４月２７日付けの手続補正書の特許請求の範囲の請求項１に記載された事項により特定される、以下のとおりのものである。（以下、「本願発明」という。）
　
「【請求項１】
　メニュー表示により選択した要素画像を配置して印刷画像を作成する印刷装置であって、
　前記メニュー表示のメニュー項目として追加可能な複数の階層から成る追加メニュー項目の情報と、その追加メニュー項目の下位に分類される要素画像の情報と、を有する追加メニューデータを、所定の通信相手から受信する受信手段と、
　前記追加メニューデータを記憶する追加メニュー記憶手段と、
　前記追加メニューデータに基づいて前記追加メニュー項目およびその下位の要素画像を前記メニュー表示に組み込むメニュー組込手段と、を備え、
　前記追加メニュー項目の組込後には、前記追加メニュー項目の階層数に応じた階層のメニュー表示を行うことを特徴とする印刷装置。」
　
（２）刊行物の記載・周知技術
　原査定の拒絶の理由に引用された刊行物１の記載事項及び周知技術については、前記「ＩＩ．平成１７年１１月２４日付けの手続き補正について（３−１）独立特許要件についての検討（Ａ）刊行物の記載、（Ｂ）周知技術１について、（Ｃ）周知技術２について」に記載したとおりである。
　
（３）対比・判断
　本願発明は、前記「ＩＩ．平成１７年１１月２４日付けの手続き補正について（１）補正後の本願発明」に記載したとおり、本願補正発明から、「追加メニューデータ」について、「ジャンル毎に追加可能であると共に、前記追加メニュー項目として、別キーの押下に基づいて異なる前記メニュー表示で表示される複数の項目を含む」とする限定を省き、さらに、「印刷装置」について、「所定キー押下によりメニュー表示させ」とする限定と「メニュー表示手段を備え」とする限定を共に省いたものである。
　そうすると、本願発明の構成要件を全て含み、さらに他の構成要件を付加したものに相当する本願補正発明が、前記 「ＩＩ．平成１７年１１月２４日付けの手続き補正について（３−１）独立特許要件についての検討（Ｅ）判断」に記載したとおり、刊行物１記載発明及び周知技術１、２に基づいて当業者が容易に発明をすることができたものであるから、本願発明も、同様の理由により、刊行物１記載発明及び周知技術１、２に基づいて、当業者が容易に発明をすることができたものである。
　
ＩＶ．むすび
　以上のとおり、本願発明は、刊行物１記載発明及び周知技術１、２に基づいて、当業者が容易に発明をすることができたものであるから、特許法第２９条第２項の規定により、特許を受けることができない。
　
　よって、結論のとおり審決する。